【手続補正書】
【提出日】平成17年2月15日(2005.2.15)
【手続補正１】
【補正対象書類名】明細書
【補正対象項目名】全文
【補正方法】変更
【補正の内容】
【書類名】      明細書
【発明の名称】  売上予測装置、売上予測方法およびその方法をコンピュータに実行させるプログラム
【特許請求の範囲】
【請求項１】  所定の種別の貨幣を売上として受け入れて所定のサービスを提供する複数のサービス機器について、当該複数のサービス機器による総売上額を予測する売上予測装置であって、
所定の期間内の前記複数のサービス機器による総売上の予測額を算出するために用いられる所定の予測係数が格納される予測係数格納手段と、
所定の両替機から所定の期間内に払い出された前記所定の種別の貨幣の総額が、両替金額として入力される両替金額入力手段と、
前記予測係数格納手段から前記予測係数を取得し、この予測係数と前記両替金額入力手段を介して入力された両替金額とを用いた所定の演算を行うことによって、前記所定の期間内の前記複数のサービス機器による総売上の予測額を算出する総売上予測額算出手段と、
を備えたことを特徴とする売上予測装置。
【請求項２】  前記予測係数格納手段によって格納される予測係数は、前記両替機から払い出される前記所定の種別の貨幣の総額に対して、前記複数のサービス機器が受け入れるであろう貨幣の額が占める割合、および／または、前記複数のサービス機器が受け入れる前記所定の種別の貨幣の総額に対して、前記両替機による両替を経由して受け入れるであろう貨幣の額が占める割合、に基づいて定められることを特徴とする請求項１に記載の売上予測装置。
【請求項３】  前記予測係数格納手段において、前記予測係数が、前記複数のサービス機器の各々が受入可能な貨幣の種別ごとに対応付けて格納され、
前記両替金額入力手段には、前記両替機から払い出された前記所定の種別の貨幣の総額が、前記受入可能な貨幣の種別ごとに両替金額として入力され、
前記総売上予測額算出手段は、前記予測係数格納手段から前記貨幣の種別に対応する予測係数を取得し、この予測係数と前記両替金額入力手段において入力された前記貨幣の種別ごとの両替金額とを用いて所定の演算を行うことによって、当該貨幣の種別の区分に分類される前記サービス機器による総売上の予測額をそれぞれ算出することを特徴とする請求項１または２に記載の売上予測装置。
【請求項４】  前記予測係数格納手段には、前記予測係数が曜日の種別ごとに対応付けて格納され、
前記両替金額入力手段には、前記両替機から所定の曜日内に払い出された前記所定の種別の貨幣の総額が、両替金額として入力され、
前記総売上予測額算出手段は、前記予測係数格納手段から前記所定の曜日に対応する予測係数を取得し、この予測係数と前記両替金額入力手段によって入力された両替金額とを用いた所定の演算を行うことによって、当該所定の曜日内の前記サービス機器による総売上の予測額を算出することを特徴とする請求項１または２に記載の売上予測装置。
【請求項５】  前記両替金額入力手段には、前記複数のサービス機器による実際の総売上額が入力され、
前記両替金額入力手段によって入力された前記総売上額と、前記総売上予測額算出手段にて算出された前記総売上予測額とを相互に比較し、これら総売上額と総売上予測額との誤差が所定誤差以上である場合に、この総売上額と前記両替金額入力手段によって入力された両替金額とを用いた所定の演算を行うことによって、前記予測係数格納手段によって格納された予測係数を修正する予測係数修正手段をさらに備えたことを特徴とする請求項１〜４のいずれか一つに記載の売上予測装置。
【請求項６】  前記複数のサービス機器による実際の総売上額に対して、各サービス機器による個別の売上額として配分される割合を示す機器別配分率が、各サービス機器ごとに格納される機器別配分率格納手段と、
前記機器別配分率格納手段から前記機器別配分率を取得し、この機器別配分率と前記総売上予測額算出手段によって算出された予測額とを用いた所定の演算を行うことによって、各サービス機器ごとに売上の予測額を算出する機器別売上予測額算出手段と、
をさらに備えたことを特徴とする請求項１〜５のいずれか一つに記載の売上予測装置。
【請求項７】  前記複数のサービス機器による実際の総売上額に対して、複数の関係者にそれぞれ配分される売上額の割合を示す関係者別配分率が、各関係者ごとに格納される関係者別配分率格納手段と、
前記関係者別配分率格納手段から前記関係者別配分率を取得し、この関係者別配分率と前記総売上予測額算出手段によって算出された予測額とを用いた所定の演算を行うことによって、各関係者ごとに売上の予測額を算出する関係者別売上予測額算出手段と、
をさらに備えたことを特徴とする請求項１〜６のいずれか一つに記載の売上予測装置。
【請求項８】  所定の種別の貨幣を売上として受け入れて所定のサービスを提供する複数のサービス機器について、当該複数のサービス機器による総売上額を所定の売上予測装置において予測する売上予測方法であって、
前記売上予測装置において、
所定の期間内の前記複数のサービス機器による総売上の予測額を算出するために用いられる所定の予測係数を格納する予測係数格納工程と、
所定の両替機から所定の期間内に払い出された前記所定の種別の貨幣の総額の入力を、両替金額として受け付ける工程と、
前記予測係数格納工程において格納された前記予測係数と前記両替金額入力工程において入力された両替金額とを用いた所定の演算を行うことによって、前記所定の期間内の前記複数のサービス機器による総売上の予測額を算出する総売上予測額算出工程と、
を含んだことを特徴とする売上予測方法。
【請求項９】  前記予測係数格納工程において格納される予測係数は、前記両替機から払い出される前記所定の種別の貨幣の総額に対して、前記複数のサービス機器が受け入れるであろう貨幣の額が占める割合、および／または、前記複数のサービス機器が受け入れる前記所定の種別の貨幣の総額に対して、前記両替機による両替を経由して受け入れるであろう貨幣の額が占める割合、に基づいて定められることを特徴とする請求項８に記載の売上予測方法。
【請求項１０】  前記予測係数格納工程において、前記予測係数が、前記複数のサービス機器の各々が受入可能な貨幣の種別ごとに対応付けて格納され、
前記両替金額入力工程において、前記両替機から払い出された前記所定の種別の貨幣の総額が、前記受入可能な貨幣の種別ごとに両替金額として入力され、
前記総売上予測額算出工程において、前記予測係数格納工程において格納された前記貨幣の種別に対応する予測係数と、前記両替金額入力工程において入力された前記貨幣の種別ごとの両替金額とを用いて所定の演算を行うことによって、当該貨幣の種別の区分に分類される前記サービス機器による総売上の予測額をそれぞれ算出することを特徴とする請求項８または９に記載の売上予測方法。
【請求項１１】  前記予測係数格納工程において、前記予測係数が曜日の種別ごとに対応付けて格納され、
前記両替金額入力工程において、前記両替機から所定の曜日内に払い出された前記所定の種別の貨幣の総額が、両替金額として入力され、
前記総売上予測額算出工程において、前記予測係数格納工程において格納された前記所定の曜日に対応する予測係数と、前記両替金額入力工程において入力された両替金額とを用いた所定の演算を行うことによって、当該所定の曜日内の前記サービス機器による総売上の予測額を算出することを特徴とする請求項８または９に記載の売上予測方法。
【請求項１２】  前記両替金額入力工程において、前記複数のサービス機器による実際の総売上額が入力され、
前記売上予測装置において、前記両替金額入力工程において入力された前記総売上額と、前記総売上予測額算出工程において算出された前記総売上予測額とを相互に比較し、これら総売上額と総売上予測額との誤差が所定誤差以上である場合に、この総売上額と前記両替金額入力工程において入力された両替金額とを用いた所定の演算を行うことによって、前記予測係数格納工程において格納された予測係数を修正する予測係数修正工程をさらに含むことを特徴とする請求項８〜１１のいずれか一つに記載の売上予測方法。
【請求項１３】  前記複数のサービス機器による実際の総売上額に対して、各サービス機器による個別の売上額として配分される割合を示す機器別配分率が、各サービス機器ごとに前記売上予測装置に格納される機器別配分率格納工程と、
前記売上予測装置において、前記機器別配分率格納工程において格納された前記機器別配分率と、前記総売上予測額算出工程において算出された予測額とを用いた所定の演算を行うことによって、各サービス機器ごとに売上の予測額を算出する機器別売上予測額算出工程と、
をさらに含むことを特徴とする請求項８〜１２のいずれか一つに記載の売上予測方法。
【請求項１４】  前記複数のサービス機器による実際の総売上額に対して、複数の関係者にそれぞれ配分される売上額の割合を示す関係者別配分率が、各関係者ごとに前記売上予測装置に格納される関係者別配分率格納工程と、
前記売上予測装置において、前記関係者別配分率格納工程において格納された前記関係者別配分率と、前記総売上予測額算出工程において算出された予測額とを用いた所定の演算を行うことによって、各関係者ごとに売上の予測額を算出する関係者別売上予測額算出工程と、
をさらに備えたことを特徴とする請求項８〜１３のいずれか一つに記載の売上予測方法。
【請求項１５】  前記請求項８〜１４のいずれか一つに記載された売上予測方法を前記売上予測装置においてコンピュータに実行させることを特徴とするプログラム。
【発明の詳細な説明】
【０００１】
【発明の属する技術分野】
この発明は、両替によって所定の種別の貨幣を払い出す両替機とともに配置され、所定の種別の貨幣を売上として受け入れて所定のサービスを提供する複数のサービス機器について、当該複数のサービス機器による総売上額を予測する売上予測装置、売上予測方法およびその方法をコンピュータに実行させるプログラムに関し、特に、複数のサービス機器による総売上額を簡易に予測することができる売上予測装置、売上予測方法およびプログラムに関する。
【０００２】
【従来の技術】
従来から、所定の種別の貨幣を売上として受け入れて所定のサービスを提供する複数のサービス機器を配置した店舗がある。例えば、五十円玉や百円玉など、所定の種別の貨幣を売上として受け入れてゲームを提供するＡＭ機器（アミューズメント機器）を複数配置した店舗として、ＡＭ施設（アミューズメント施設）と呼ばれるものがある。
【０００３】
かかるＡＭ施設は、ゲームの提供に際して利用者から店員が貨幣（五十円玉や百円玉）を受け取るものではなく、複数のＡＭ機器それぞれが貨幣を受け取るものであるので、店舗の売上（複数のＡＭ機器による総売上額）を把握するために、複数のＡＭ機器にそれぞれ投入された貨幣を、店員などが一定期間ごとに集計することが一般的におこなわれている。すなわち、一週間単位で売上を把握したいような場合には、一週間ごとに店員などが各ＡＭ機器から貨幣を集計し、一日単位で売上を把握したいような場合には、一日ごとに店員などが各ＡＭ機器から貨幣を集計している。
【０００４】
【発明が解決しようとする課題】
しかしながら、各ＡＭ機器から貨幣を集計する作業は、多くの時間や労力が必要であり、人件費も掛かる作業である。このため、大多数の店舗では、一週間単位で集計作業をおこなうことが限度であり、これよりも短い単位で売上を把握することは、実質的に困難であるという問題点があった。
【０００５】
このような問題点に対して、大多数の店舗では、一週間よりも短い単位で店舗の売上を予測したいという要望がある。言い換えれば、ＡＭ施設など、所定の種別の貨幣を売上として受け入れて所定のサービスを提供する複数のサービス機器を配置した店舗では、一週間よりも短い単位で店舗の売上（複数のサービス機器による総売上額）を予測することが極めて重要な課題となっており、望ましくは、店舗の売上を簡易に予測する手法が必要とされている。
【０００６】
そこで、この発明は、上述した従来技術による問題点を解消するためになされたものであり、複数のサービス機器による総売上額を簡易に予測することができる売上予測装置、売上予測方法およびその方法をコンピュータに実行させるプログラムを提供することを目的とする。
【０００７】
【課題を解決するための手段】
上述した課題を解決し、目的を達成するため、請求項１の発明に係る売上予測装置は、所定の種別の貨幣を売上として受け入れて所定のサービスを提供する複数のサービス機器について、当該複数のサービス機器による総売上額を予測する売上予測装置であって、所定の期間内の前記複数のサービス機器による総売上の予測額を算出するために用いられる所定の予測係数が格納される予測係数格納手段と、所定の両替機から所定の期間内に払い出された前記所定の種別の貨幣の総額が、両替金額として入力される両替金額入力手段と、前記予測係数格納手段から前記予測係数を取得し、この予測係数と前記両替金額入力手段を介して入力された両替金額とを用いた所定の演算を行うことによって、前記所定の期間内の前記複数のサービス機器による総売上の予測額を算出する総売上予測額算出手段と、を備えたことを特徴とする。
【０００８】
また、請求項２の発明に係る売上予測装置は、請求項１に記載の発明において、前記予測係数格納手段によって格納される予測係数は、前記両替機から払い出される前記所定の種別の貨幣の総額に対して、前記複数のサービス機器が受け入れるであろう貨幣の額が占める割合、および／または、前記複数のサービス機器が受け入れる前記所定の種別の貨幣の総額に対して、前記両替機による両替を経由して受け入れるであろう貨幣の額が占める割合、に基づいて定められることを特徴とする。
【０００９】
また、請求項３の発明に係る売上予測装置は、請求項１または２に記載の発明において、前記予測係数格納手段において、前記予測係数が、前記複数のサービス機器の各々が受入可能な貨幣の種別ごとに対応付けて格納され、前記両替金額入力手段には、前記両替機から払い出された前記所定の種別の貨幣の総額が、前記受入可能な貨幣の種別ごとに両替金額として入力され、前記総売上予測額算出手段は、前記予測係数格納手段から前記貨幣の種別に対応する予測係数を取得し、この予測係数と前記両替金額入力手段において入力された前記貨幣の種別ごとの両替金額とを用いて所定の演算を行うことによって、当該貨幣の種別の区分に分類される前記サービス機器による総売上の予測額をそれぞれ算出することを特徴とする。
【００１０】
また、請求項４の発明に係る売上予測装置は、請求項１または２に記載の発明において、前記予測係数格納手段には、前記予測係数が曜日の種別ごとに対応付けて格納され、前記両替金額入力手段には、前記両替機から所定の曜日内に払い出された前記所定の種別の貨幣の総額が、両替金額として入力され、前記総売上予測額算出手段は、前記予測係数格納手段から前記所定の曜日に対応する予測係数を取得し、この予測係数と前記両替金額入力手段によって入力された両替金額とを用いた所定の演算を行うことによって、当該所定の曜日内の前記サービス機器による総売上の予測額を算出することを特徴とする。
【００１１】
また、請求項５の発明に係る売上予測装置は、請求項１〜４のいずれか一つに記載の発明において、前記両替金額入力手段には、前記複数のサービス機器による実際の総売上額が入力され、前記両替金額入力手段によって入力された前記総売上額と、前記総売上予測額算出手段にて算出された前記総売上予測額とを相互に比較し、これら総売上額と総売上予測額との誤差が所定誤差以上である場合に、この総売上額と前記両替金額入力手段によって入力された両替金額とを用いた所定の演算を行うことによって、前記予測係数格納手段によって格納された予測係数を修正する予測係数修正手段をさらに備えたことを特徴とする。
【００１２】
また、請求項６の発明に係る売上予測装置は、請求項１〜５のいずれか一つに記載の発明において、前記複数のサービス機器による実際の総売上額に対して、各サービス機器による個別の売上額として配分される割合を示す機器別配分率が、各サービス機器ごとに格納される機器別配分率格納手段と、前記機器別配分率格納手段から前記機器別配分率を取得し、この機器別配分率と前記総売上予測額算出手段によって算出された予測額とを用いた所定の演算を行うことによって、各サービス機器ごとに売上の予測額を算出する機器別売上予測額算出手段とをさらに備えたことを特徴とする。
【００１３】
また、請求項７の発明に係る売上予測装置は、請求項１〜６のいずれか一つに記載の発明において、前記複数のサービス機器による実際の総売上額に対して、複数の関係者にそれぞれ配分される売上額の割合を示す関係者別配分率が、各関係者ごとに格納される関係者別配分率格納手段と、前記関係者別配分率格納手段から前記関係者別配分率を取得し、この関係者別配分率と前記総売上予測額算出手段によって算出された予測額とを用いた所定の演算を行うことによって、各関係者ごとに売上の予測額を算出する関係者別売上予測額算出手段とをさらに備えたことを特徴とする。
【００１４】
また、請求項８の発明に係る売上予測方法は、所定の種別の貨幣を売上として受け入れて所定のサービスを提供する複数のサービス機器について、当該複数のサービス機器による総売上額を所定の売上予測装置において予測する売上予測方法であって、前記売上予測装置において、所定の期間内の前記複数のサービス機器による総売上の予測額を算出するために用いられる所定の予測係数を格納する予測係数格納工程と、所定の両替機から所定の期間内に払い出された前記所定の種別の貨幣の総額の入力を、両替金額として受け付ける工程と、前記予測係数格納工程において格納された前記予測係数と前記両替金額入力工程において入力された両替金額とを用いた所定の演算を行うことによって、前記所定の期間内の前記複数のサービス機器による総売上の予測額を算出する総売上予測額算出工程とを含んだことを特徴とする。
【００１５】
また、請求項９の発明に係る売上予測方法は、請求項８に記載の発明において、前記予測係数格納工程において格納される予測係数は、前記両替機から払い出される前記所定の種別の貨幣の総額に対して、前記複数のサービス機器が受け入れるであろう貨幣の額が占める割合、および／または、前記複数のサービス機器が受け入れる前記所定の種別の貨幣の総額に対して、前記両替機による両替を経由して受け入れるであろう貨幣の額が占める割合、に基づいて定められることを特徴とする。
【００１６】
また、請求項１０の発明に係る売上予測方法は、請求項８または９に記載の発明において、前記予測係数格納工程において、前記予測係数が、前記複数のサービス機器の各々が受入可能な貨幣の種別ごとに対応付けて格納され、前記両替金額入力工程において、前記両替機から払い出された前記所定の種別の貨幣の総額が、前記受入可能な貨幣の種別ごとに両替金額として入力され、前記総売上予測額算出工程において、前記予測係数格納工程において格納された前記貨幣の種別に対応する予測係数と、前記両替金額入力工程において入力された前記貨幣の種別ごとの両替金額とを用いて所定の演算を行うことによって、当該貨幣の種別の区分に分類される前記サービス機器による総売上の予測額をそれぞれ算出することを特徴とする。
【００１７】
また、請求項１１の発明に係る売上予測方法は、請求項８または９に記載の発明において、前記予測係数格納工程において、前記予測係数が曜日の種別ごとに対応付けて格納され、前記両替金額入力工程において、前記両替機から所定の曜日内に払い出された前記所定の種別の貨幣の総額が、両替金額として入力され、前記総売上予測額算出工程において、前記予測係数格納工程において格納された前記所定の曜日に対応する予測係数と、前記両替金額入力工程において入力された両替金額とを用いた所定の演算を行うことによって、当該所定の曜日内の前記サービス機器による総売上の予測額を算出することを特徴とする。
【００１８】
また、請求項１２の発明に係る売上予測方法は、請求項８〜１１のいずれか一つに記載の発明において、前記両替金額入力工程において、前記複数のサービス機器による実際の総売上額が入力され、前記売上予測装置において、前記両替金額入力工程において入力された前記総売上額と、前記総売上予測額算出工程において算出された前記総売上予測額とを相互に比較し、これら総売上額と総売上予測額との誤差が所定誤差以上である場合に、この総売上額と前記両替金額入力工程において入力された両替金額とを用いた所定の演算を行うことによって、前記予測係数格納工程において格納された予測係数を修正する予測係数修正工程をさらに含むことを特徴とする。
【００１９】
また、請求項１３の発明に係る売上予測方法は、請求項８〜１２のいずれか一つに記載の発明において、前記複数のサービス機器による実際の総売上額に対して、各サービス機器による個別の売上額として配分される割合を示す機器別配分率が、各サービス機器ごとに前記売上予測装置に格納される機器別配分率格納工程と、前記売上予測装置において、前記機器別配分率格納工程において格納された前記機器別配分率と、前記総売上予測額算出工程において算出された予測額とを用いた所定の演算を行うことによって、各サービス機器ごとに売上の予測額を算出する機器別売上予測額算出工程とをさらに含むことを特徴とする。
【００２０】
また、請求項１４の発明に係る売上予測方法は、請求項８〜１３のいずれか一つに記載の発明において、前記複数のサービス機器による実際の総売上額に対して、複数の関係者にそれぞれ配分される売上額の割合を示す関係者別配分率が、各関係者ごとに前記売上予測装置に格納される関係者別配分率格納工程と、前記売上予測装置において、前記関係者別配分率格納工程において格納された前記関係者別配分率と、前記総売上予測額算出工程において算出された予測額とを用いた所定の演算を行うことによって、各関係者ごとに売上の予測額を算出する関係者別売上予測額算出工程とをさらに備えたことを特徴とする。
【００２１】
また、請求項１５の発明に係るプログラムは、請求項８〜１４のいずれか一つに記載された売上予測方法を前記売上予測装置においてコンピュータに実行させることを特徴とする。
【００２２】
【発明の実施の形態】
以下に添付図面を参照して、この発明に係る売上予測装置、売上予測方法およびその方法をコンピュータに実行させるプログラムの好適な実施の形態を詳細に説明する。なお、以下に示す本実施の形態では、売上予測装置の適用環境および主たる特徴を説明した後に、売上予測装置の構成および売上予測処理の手順について説明することとする。
【００２３】
（売上予測装置の適用環境および主たる特徴）
まず最初に、本実施の形態に係る売上予測装置の適用環境および主たる特徴を説明する。図１は、本実施の形態に係る売上予測装置の適用環境を説明するための図である。同図に示すように、本実施の形態に係る売上予測装置１０は、両替によって所定の種別の貨幣を払い出す両替機２０と、所定の種別の貨幣を売上として受け入れてゲームを提供する複数のＡＭ機器（アミューズメント機器）３０とが配置されたＡＭ施設（アミューズメント施設：店舗）に適用され、複数のＡＭ機器３０による総売上額を予測するものである。
【００２４】
そして、本実施の形態に係る売上予測装置１０は、両替機２０から所定の期間内に払い出された所定の種別の貨幣の総額（両替金額）を用いて、複数のＡＭ機器３０による総売上額を予測する点に主たる特徴がある。以下に、この主たる特徴について具体的に説明する。
【００２５】
図２は、本実施の形態に係る売上予測装置１０の主たる特徴を説明するための図である。ＡＭ施設においては、図１に示すように、利用者は、元もと所持している所定の種別の貨幣（五十円玉または百円玉）、または両替機２０から払い出された所定の種別の貨幣（五十円玉または百円玉）を、各ＡＭ機器３０に投入することによってゲームをおこなうものと考えられる。
【００２６】
すなわち、複数のＡＭ機器３０に投入される貨幣には、両替機２０による両替を経由して投入されるものと、両替機２０による両替を経由することなく投入されるものとの二種類しか存在しないため、図２（ｂ）に示すように、複数のＡＭ機器３０に投入された貨幣の総額（ＡＭ機器投入金額）は、両替機２０による両替を経由して投入されるもの（Ｃ％）と、両替機２０による両替を経由することなく投入されるもの（Ｄ％）との合計によって成立する。
【００２７】
また、ＡＭ施設において利用者は、両替機２０から払い出された所定の種別の貨幣を、各ＡＭ機器３０に全額投入するとは限らず、両替機２０から払い出された貨幣の一部をＡＭ機器３０に投入することなくＡＭ施設から退出するものと考えられる。
【００２８】
すなわち、両替機２０から払い出される貨幣には、その後にＡＭ機器３０に投入されるものと、ＡＭ機器３０に投入されないものとの二種類しか存在しないため、図２（ａ）に示すように、両替機２０から払い出された貨幣の総額（両替金額）は、ＡＭ機器３０に投入されるもの（Ａ％）と、ＡＭ機器３０に投入されないもの（Ｄ％）との合計によって成立する。
【００２９】
これらを勘案すると、ＡＭ機器投入金額と両替金額との間には、図２（ｃ）に示す関係式が成立するため、ＡＭ機器投入金額は、両替金額に所定の予測係数（Ａ／Ｃ）を乗算することによって算出されるものと把握される。そして、この図２（ｃ）に示した関係式によれば、両替機２０から払い出された貨幣の総額（両替金額）は、複数のＡＭ機器３０による総売上額（ＡＭ機器投入金額）に対して、強い相関関係を有する情報である。
【００３０】
一方、両替機２０から払い出された貨幣の総額（両替金額）は、複数のＡＭ機器３０から貨幣を集計する作業に比較して、簡易に集計することが可能な情報である。すなわち、両替機２０から払い出される両替金額は、簡易に集計することが可能な情報であると同時に、複数のＡＭ機器３０による総売上額に対して、強い相関関係を有する情報であると言い得る。
【００３１】
そこで、本実施の形態に係る売上予測装置１０は、所定の予測係数を格納する予測係数ＤＢ１４ａを備え、両替機２０から所定の期間内に払い出された所定の種別の貨幣の総額（両替金額）に予測係数を乗ずることによって、所定の期間内の複数のＡＭ機器３０による総売上予測額を算出することを主たる特徴とし、これによって、複数のＡＭ機器３０による総売上額を簡易に予測することができるようにしている。
【００３２】
さらに、本実施の形態に係る売上予測装置１０は、上記の主たる特徴に関連して以下に説明するような特徴も有する。ＡＭ施設に配置されるＡＭ機器３０には、図１に示すように、五十円玉の投入のみを受け付ける複数のＡＭ機器３０（５０円投入ＡＭ機器群）や、百円玉の投入のみを受け付ける複数のＡＭ機器３０（１００円投入ＡＭ機器群）などがあるが、図２（ｃ）に示した関係式において、五十円玉と百円玉とでは、予測係数（Ａ／Ｃ）の値は相違すると考えられる。
【００３３】
すなわち、例えば、図２（ｂ）に示した関係では、複数のＡＭ機器３０（５０円投入ＡＭ機器群）に投入される五十円玉の総額に対する、両替機２０による両替を経由して投入される五十円玉の割合（Ｃ％）は、利用者が元もと五十円玉を所持している場合は少ないことを加味すると、複数のＡＭ機器３０（１００円投入ＡＭ機器群）に投入される百円玉の総額に対する、両替機２０による両替を経由して投入される百円玉の割合（Ｃ％）に比較して、高いものと予測される。
【００３４】
さらに、図２（ｃ）に示した関係式において、予測係数（Ａ／Ｃ）の値は、曜日の種別ごとに相違すると考えられる。すなわち、例えば、図２（ａ）に示した関係では、休日に両替機２０から払い出される貨幣の総額に対する、ＡＭ機器３０に投入される貨幣の割合は（Ａ％）、休日の方がが平日に比較して時間的な余裕が多いことを加味すると、平日に両替機２０から払い出される貨幣の総額に対する、ＡＭ機器３０に投入される貨幣の割合は（Ａ％）に比較して、高いものと予測される。
【００３５】
そこで、本実施の形態に係る売上予測装置１０は、予測係数ＤＢ１４ａに、貨幣の種別ごと並びに曜日の種別ごとに予測係数を対応付けて格納し、両替機２０から所定の曜日内に払い出された五十円玉の総額および百円玉の総額に、予測係数ＤＢ１４ａに格納された対応する予測係数を乗ずることによって、当該所定の曜日内の５０円投入ＡＭ機器群による総売上の予測額および１００円投入ＡＭ機器群による総売上の予測額をそれぞれ算出することも特徴とし、これによって、複数のＡＭ機器３０による総売上額を簡易かつ精度良く予測することができるようにしている。
【００３６】
（売上予測装置の構成）
次に、本実施の形態に係る売上予測装置１０の構成を説明する。図３は、本実施の形態に係る売上予測装置１０の構成を示すブロック図である。同図に示すように、この売上予測装置１０は、入力部１１と、出力部１２と、入出力制御ＩＦ部１３と、記憶部１４と、制御部１５とを備える。
【００３７】
このうち、入力部１１は、各種の情報の入力を受付ける入力手段であり、キーボードやマウスを備えて構成され、両替金額入力手段として、両替機２０から所定の曜日内に払い出された五十円玉の総額および百円玉の総額を貨幣の種別ごとに両替金額として入力するほかに、記憶部１４の実売上額履歴ＤＢ１４ｄに格納される情報なども入力する。
【００３８】
出力部１２は、各種の情報を売上予測装置１０から出力する出力手段であり、モニタを備えて構成され、両替金額の入力用画面（図９参照）や、売上予測装置１０による売上予測処理によって得られた売上予測の結果などを表示出力する（図１０参照）。そして、入出力制御ＩＦ部１３は、これら入力部１１および出力部１２によるデータの入出力を制御する。
【００３９】
ここで、出力部１２に表示される両替金額の入力用画面について、図９を用いて説明する。この両替金額の入力用画面は、同図に示すように、売上予測処理の対象とされる年月日を示す年月日フィールドと、当該年月日の曜日を入力する曜日フィールドと、当該年月日に両替機２０から払い出された五十円玉の総額を入力する両替金額フィールド（５０円投入ＡＭ機器群）と、当該年月日に両替機２０から払い出された百円玉の総額を入力する両替金額フィールド（１００円投入ＡＭ機器群）とから構成される。
【００４０】
これらの各フィールドのうち、年月日フィールドおよび曜日フィールドには、売上予測装置１０の内部クロックおよび内部カレンダ（図示せず）に対応して自動的に年月日および曜日が表示出力されるが、曜日フィールドについては、入力部１１を介して所定の曜日（例えば、祭日など）を選択入力することができる。また、二つの両替金額フィールドには、入力部１１を介して両替金額を入力する。なお、図９において、「ＯＫ」ボタンは、各フィールドの情報を売上予測装置１０内に入力するための指示ボタンであり、また、「キャンセル」ボタンは、売上予測装置１０内への入力をキャンセルための指示ボタンである。
【００４１】
図３の説明に戻ると、記憶部１４は、制御部１５による各種処理に必要なデータおよびプログラムを格納する格納手段（記憶手段）であり、機能概念的に、予測係数ＤＢ１４ａと、機器別関係者別配分率ＤＢ１４ｂと、売上予測履歴ＤＢ１４ｃと、実売上額履歴ＤＢ１４ｄとを備えて構成される。
【００４２】
このうち、予測係数ＤＢ１４ａは、両替機２０から所定の期間内に払い出される所定の種別の貨幣の総額に乗じた場合に、当該所定の期間内の複数のＡＭ機器３０による総売上額が算出されるものと予測される予測係数を格納するデータベースである。具体的には、この予測係数ＤＢ１４ａに格納される予測係数は、図２（ｃ）に示した関係式の（Ａ／Ｃ）に対応するものであり、図４に示すように、「５０円投入ＡＭ機器群、１００円投入ＡＭ機器群」というＡＭ機器３０が受入可能な貨幣の種別ごとに、「月、火、・・・、日、祭日」という曜日の種別に対応付けて格納される。なお、この予測係数は、制御部１５の総売上予測額算出部１５ａによる処理に用いられ、さらに、制御部１５の予測係数修正部１５ｅによる処理によって修正格納される。
【００４３】
機器別関係者別配分率ＤＢ１４ｂは、ＡＭ機器別や関係者別に定められた売上の配分に関する情報を格納するデータベースである。かかる情報について具体的に説明すると、ＡＭ施設においては、複数のＡＭ機器３０による実際の売上総額を、所定の機器別配分率で各ＡＭ機器３０に配分することによって、各ＡＭ機器３０ごとの売上額を把握することがおこなわれ得る。さらに、ＡＭ機器３０によっては、ＡＭ機器３０よる実際の売上額を、所定の関係者別配分率で複数の関係者（例えば、ＡＭ機器３０の貸出主およびＡＭ施設主（店舗主））の間で分配するという契約が結ばれることがあり得る。
【００４４】
このようなことから、機器別関係者別配分率ＤＢ１４ｂは、複数のＡＭ機器３０による総売上の予測額に基づいて、各ＡＭ機器３０に配分される売上額および各関係者に配分される売上額の予測を可能にするために、上記した機器別配分率および関係者別配分率を格納する。
【００４５】
具体的には、この機器別関係者別配分率ＤＢ１４ｂに格納される情報は、図５に示すように、「５０円投入ＡＭ機器群、１００円投入ＡＭ機器群」というＡＭ機器３０が受入可能な貨幣の種別ごとに、各ＡＭ機器３０の名称を示すＡＭ機器名称と、各ＡＭ機器３０を一意に識別するためのＡＭ機器番号と、機器別配分率と、関係者配分率（貸出主に配分される率および店舗主に配分される率）とを相互に関連付けて構成される。なお、これらの機器別配分率および関係者配分率は、制御部１５の機器別売上予測額算出部１５ｂおよび関係者別売上予測額算出部１５ｃによる処理に用いられる。
【００４６】
売上予測履歴ＤＢ１４ｃは、売上予測装置１０による売上予測処理によって得られた売上予測の結果を売上予測履歴情報として格納するデータベースである。具体的には、この売上予測履歴ＤＢ１４ｃに格納される情報は、図６に示すように、「５０円投入ＡＭ機器群、１００円投入ＡＭ機器群」というＡＭ機器３０が受入可能な貨幣の種別ごとに、売上予測処理の対象とされた年月日並びに曜日と、制御部１５の総売上予測額算出部１５ａによる処理によって算出された総売上予測額と、総売上予測額算出部１５ａによる処理に用いられた両替金額並びに予測係数とを相互に関連付けて構成される。なお、売上予測履歴ＤＢ１４ｃに格納される情報は、制御部１５の総売上予測額処理部１５ａの処理によって格納され、さらに、制御部１５の予測係数修正部１５ｅによる処理に用いられる。
【００４７】
実売上額履歴ＤＢ１４ｄは、複数のＡＭ機器３０による実際の売上総額に関する情報を格納するデータベースである。具体的には、この実売上額履歴ＤＢ１４ｄに格納される情報は、図７に示すように、「５０円投入ＡＭ機器群、１００円投入ＡＭ機器群」というＡＭ機器３０が受入可能な貨幣の種別ごとに、所定の年月日並びに曜日と、当該年月日に実際に売上として計上された額を示す実売上額とを相互に関連付けて構成される。なお、実売上額履歴ＤＢ１４ｄに格納される情報は、制御部１５の実売上額入力処理部１５ｄの処理によって格納され、さらに、制御部１５の予測係数修正部１５ｅによる処理に用いられる。
【００４８】
図３の説明に戻ると、制御部１５は、ＯＳ（Operating System）などの制御プログラム、各種の処理手順などを規定したプログラムおよび所要データを格納するための内部メモリを有し、これらによって種々の処理を実行する処理部であり、機能概念的に、総売上予測額算出部１５ａと、機器別売上予測額算出部１５ｂと、関係者別売上予測額算出部１５ｃと、実売上額入力処理部１５ｄと、予測係数修正部１５ｅとを備えて構成される。
【００４９】
このうち、総売上予測額算出部１５ａは、入力部１１から入力された両替金額に、予測係数ＤＢ１４ａに格納された予測係数を乗ずることによって、所定の期間内のＡＭ機器３０による総売上の予測額（総売上予測額）を算出する処理部である。具体的には、両替機２０から所定の曜日内に払い出された五十円玉の総額および百円玉の総額が貨幣の種別ごとに両替金額として入力されると、総売上予測額算出部１５ａは、予測係数ＤＢ１４ａに格納された対応する予測係数を乗ずることによって、当該所定の曜日内の５０円投入ＡＭ機器群による総売上予測額および１００円投入ＡＭ機器群による総売上予測額をそれぞれ算出する。
【００５０】
ここで、この総売上予測額算出部１５ａによる処理を、出力部１２による出力結果（図１０参照）を用いて具体的に説明する。例えば、「０２年２月２３日、土曜日」に、五十円玉の両替金額として「５０，０００円」が入力され、百円玉の両替金額として「５０，０００円」が入力されると、総売上予測額算出部１５ａは、入力された両替金額に、予測係数ＤＢ１４ａに格納された対応する予測係数（５０円投入ＡＭ機器群については、予測係数「２．０」、１００円投入ＡＭ機器群については、予測係数「４．０」）をそれぞれ乗ずることによって、５０円投入ＡＭ機器群による総売上予測額としては、「１００，０００円」を算出し、５０円投入ＡＭ機器群による総売上予測額としては、「２００，０００円」を算出する（図１０参照）。そして、対応する情報を売上予測履歴ＤＢ１４ｃに格納する（図６参照）。
【００５１】
機器別売上予測額算出部１５ｂは、総売上予測額算出部１４ａによって算出された総売上予測額に、機器別関係者別配分率ＤＢ１４ｂに格納された機器別配分率を乗ずることによって、各ＡＭ機器３０ごとに売上の予測額（機器別売上予測額）を算出する処理部である。
【００５２】
ここで、この機器別売上予測額算出部１５ｂによる処理を、出力部１２による出力結果（図１０参照）を用いて具体的に説明する。例えば、総売上予測額算出部１４ａによって、５０円投入ＡＭ機器群による総売上予測額として「１００，０００円」を算出されると、機器別売上予測額算出部１５ｂは、算出された総売上予測額に、機器別関係者別配分率ＤＢ１４ｂに格納された機器別配分率「１％、２％、３％・・・」を乗ずることによって、５０円投入ＡＭ機器群に区分される各ＡＭ機器３０ごとに、機器別売上予測額「１，０００円、２，０００円、３，０００円・・・」を算出する（図１０参照）。
【００５３】
関係者別売上予測額算出部１５ｃは、機器別売上予測額算出部１５ｂによって算出された各ＡＭ機器３０ごとの機器別売上予測額に、機器別関係者別配分率ＤＢ１４ｂに格納された関係者別配分率を乗ずることによって、各ＡＭ機器３０ごと並びに各関係者ごとに売上の予測額（貸出主売上予測額、店舗主売上予測額、貸出主売上予測額計および店舗主売上予測額計）を算出する処理部である。
【００５４】
ここで、この関係者別売上予測額算出部１５ｃによる処理を、出力部１２による出力結果（図１０参照）を用いて具体的に説明する。例えば、機器別売上予測額算出部１５ｂによって、５０円投入ＡＭ機器群に区分される各ＡＭ機器３０ごとに、機器別売上予測額「１，０００円、２，０００円、３，０００円・・・」が算出されると、関係者別売上予測額算出部１５ｃは、算出された各機器別売上予測額に、機器別関係者別配分率ＤＢ１４ｂに格納された対応する関係者別配分率「５０％：５０％、３０％：７０％、７０％：３０％・・・」を乗ずることによって、貸出主売上予測額「５００円、６００円、２，１００円・・・」、店舗主売上予測額「５００円、１，４００円、９００円・・・」、貸出主売上予測額計「４０，０００円」および店舗主売上予測額計「６０，０００円」を算出する（図１０参照）。
【００５５】
実売上額入力処理部１５ｄは、入力部１１から入力された実売上額を実売上額履歴ＤＢ１４ｄに格納する処理部である。具体的には、実売上額入力処理部１５ｄは、５０円投入ＡＭ機器群および１００円投入ＡＭ機器群ごとに、所定の年月日並びに曜日に実際に売上として計上された額（実売上額）を実売上額履歴ＤＢ１４ｄに格納する。
【００５６】
ここで、この実売上額入力処理部１５ｄによる処理を具体的に説明すると、例えば、「０２年２月２３日、土曜日」に実際に売上として計上された額として、５０円投入ＡＭ機器群の実売上額「１２０，０００円」および１００円投入ＡＭ機器群の実売上額「１７０，０００円」が入力されたような場合には、実売上額入力処理部１５ｄは、これらの入力された情報を実売上額履歴ＤＢ１４ｄに格納する（図７参照）。
【００５７】
なお、この実売上額は、該当日に店員などが各ＡＭ機器３０から貨幣を集計することによって把握されたものを採用することが望ましいが、該当日を含んだ所定の期間（例えば、一週間）にまとめて集計した後に、所定の曜日配分率を用いて集計額を配分することによって求めた実売上額を採用してもよい。
【００５８】
予測係数修正部１５ｅは、複数のＡＭ機器３０による実際の総売上額に基づいて、予測係数ＤＢ１４ａに格納された予測係数を修正する処理部である。具体的には、予測係数修正部１５ｅは、売上予測履歴ＤＢ１４ｃに格納された総売上予測額と、予測額実売上額履歴ＤＢ１４ｄに格納された実売上額との間で生じている誤差が所定の範囲外（例えば、１０％以上）である場合に、実売上額と両替金額を用いて予測係数を新たに算出し、新たに算出した予測係数を修正後の予測係数として予測係数ＤＢ１４ａに格納する。
【００５９】
ここで、この予測係数修正部１５ｅによる処理を図１１を用いて具体的に説明する。図１１は、図３に示した予測係数修正部１５ｅによる処理を説明するための図である。同図に示すように、例えば、同一日における実売上額（Ｘ）、予測額（Ｙ）および両替金額（Ｚ）として、「（Ｘ）１２０，０００円、（Ｙ）１００，０００円、（Ｚ）５０、０００円」があったとすると、実売上額（Ｘ）と予測額（Ｙ）との間で生じている誤差（Ｘ／Ｙ＝１．２）は、１０％以上であるので、予測係数修正部１５ｅは、実売上額（Ｘ）および両替金額（Ｚ）を用いて、修正後予測係数（Ｘ／Ｚ＝２．４）を新たに算出する（図１１参照）。
【００６０】
（売上予測処理の手順）
次に、本実施の形態に係る売上予測装置１０による売上予測処理の手順を説明する。図８は、本実施の形態に係る売上予測装置１０による売上予測処理の手順を示すフローチャートである。
【００６１】
同図に示すように、図３に示した売上予測装置１０においては、入力部１１を介して、両替機２０から所定の曜日内に払い出された五十円玉の総額および百円玉の総額（両替金額）が、貨幣の種別ごとに入力され（ステップＳ８０１肯定）、さらに、当該所定の曜日の種別が入力されると（ステップＳ８０２肯定）、総売上予測額算出部１５ａは、予測係数ＤＢ１４ａに格納された対応する予測係数を乗ずることによって、当該所定の曜日内の５０円投入ＡＭ機器群による総売上予測額および１００円投入ＡＭ機器群による総売上予測額をそれぞれ算出する（ステップＳ８０３）。
【００６２】
続いて、機器別売上予測額算出部１５ｂは、総売上予測額算出部１４ａによって算出された総売上予測額に、機器別関係者別配分率ＤＢ１４ｂに格納された機器別配分率を乗ずることによって、各ＡＭ機器３０ごとに機器別売上予測額を算出する（ステップＳ８０４）。
【００６３】
そして、関係者別売上予測額算出部１５ｃは、機器別売上予測額算出部１５ｂによって算出された各ＡＭ機器３０ごとの機器別売上予測額に、機器別関係者別配分率ＤＢ１４ｂに格納された関係者別配分率を乗ずることによって、各ＡＭ機器３０ごと並びに各関係者ごとに関係者別売上予測額（貸出主売上予測額、店舗主売上予測額、貸出主売上予測額計および店舗主売上予測額計）を算出する（ステップＳ８０５）。
【００６４】
一方、総売上予測額算出部１５ａは、売上予測の結果（年月日、曜日、総売上予測額、両替金額および予測係数）を売上予測履歴ＤＢ１４ｃに格納し（ステップＳ８０６）、出力部１２は、売上予測の結果（年月日、曜日、両替金額、総売上予測額、機器別売上予測額および関係者別売上予測額）を表示出力する（ステップＳ８０７）。
【００６５】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００６６】
例えば、本実施の形態では、ＡＭ施設において両替機２０とともに配置された複数のＡＭ機器３０に本発明を適用した場合を説明したが、本発明はこれに限定されるものではなく、両替機とともに配置されて貨幣を売上として受け入れて所定のサービスを提供する複数のサービス機器（例えば、コピー機やパソコンなどの事務機器）であれば、本発明を同様に適用することができる。
【００６７】
また、本実施の形態では、一つの両替機２０から払い出された両替金額を用いて売上を予測する場合を説明したが、本発明はこれに限定されるものではなく、複数の両替機２０から払い出された両替金額を用いる場合でも同様に適用することができる。
【００６８】
また、本実施の形態では、曜日ごとに予測係数を格納する場合を説明したが、本発明はこれに限定されるものではなく、例えば、１年間の通年に渡る各月日ごとに、曜日（平日、週末、祭日など）、季節、休暇期間（夏休み）などの各種の要因を考慮した予測係数を格納する場合にも同様に適用することができる。
【００６９】
さらに、本実施の形態では、曜日ごとに格納された予測係数を用いて所定の曜日内の売上を予測する場合を説明したが、本発明はこれに限定されるものではなく、例えば、午前と午後などの時間帯ごとに、さらに細かな単位で予測係数を格納し、所定の曜日の所定の時間帯の売上を予測するなど、より細かな期間内で売上を予測するような場合でも同様に適用することができる。
【００７０】
また、本実施の形態では、売上予測装置１０の出力部１２に表示される両替金額の入力用画面に対して、入力部１１を介して曜日および両替金額を入力する場合を説明したが、本発明はこれに限定されるものではなく、売上予測装置１０と両替機２０とを有線または無線によって接続し、両替機２０から売上予測装置１０に対して両替金額を直接入力する場合にも同様に適用することができる。すなわち、この場合には、売上予測処理の対象とされる所定期間ごとに（例えば、店舗の閉店時などの定期的なスケジュールに応じて）、両替機２０から売上予測装置１０に対して両替金額が送信され、この両替金額の送信によって売上予測処理が開始されることとなる。
【００７１】
また、本実施の形態では、両替金額そのものを用いて総売上予測額を算出する場合を説明したが、本発明はこれに限定されるものではなく、例えば、両替によって払い出された貨幣の枚数を用いて総売上予測額を算出する場合にも同様に適用することができる。なお、この場合には、予測係数は、各貨幣の金額を考慮した数値を乗ずることとなる。
【００７２】
また、本実施の形態では、同一日における実売上額、予測額および両替金額を用いて予測係数を修正する場合を説明したが、本発明はこれに限定されるものではなく、例えば、所定期間内の複数の同種曜日における実売上額、予測額および両替金額を用いて予測係数を修正するなど、予測係数を長期的な視野で効果的に修正するような場合にも同様に適用することができる。
【００７３】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７５】
なお、本実施の形態で説明した売上予測方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００７６】
【発明の効果】
以上説明したように、請求項１、８または１５の発明によれば、所定の期間内の複数のサービス機器による総売上の予測額を算出するために用いられる所定の予測係数が格納され、両替機から所定の期間内に払い出された所定の種別の貨幣の総額が両替金額として入力され、これら入力された両替金額と予測係数とを用いて、所定の期間内の複数のサービス機器による総売上の予測額を算出する。この両替金額は、複数のサービス機器から貨幣を集計する作業に比較して、簡易に集計することが可能な情報であると同時に、複数のサービス機器による総売上額に対して、強い相関関係を有する情報であるので、これを用いることで、複数のサービス機器による総売上額を簡易に予測することが可能な売上予測装置、売上予測方法またはプログラムが得られるという効果を奏する。
【００７７】
また、請求項２、９または１５の発明によれば、格納される予測係数は、両替機から払い出される前記所定の種別の貨幣の総額に対して、複数のサービス機器が受け入れるであろう貨幣の額が占める割合、および／または、複数のサービス機器が受け入れる所定の種別の貨幣の総額に対して、両替機による両替を経由して受け入れるであろう貨幣の額が占める割合、に基づいて定められる。したがって、複数のサービス機器による総売上額を簡易に予測することが可能な売上予測装置、売上予測方法またはプログラムが得られるという効果を奏する。
【００７８】
また、請求項３、１０または１５の発明によれば、複数のサービス機器は、受入可能な貨幣の種別ごとに複数の区分に分類可能なものであって、予測係数が受入可能な貨幣の種別ごとに対応付けて格納され、両替機から払い出された所定の種別の貨幣の総額が受入可能な貨幣の種別ごとに両替金額として入力され、入力された貨幣の種別ごとの両替金額と、格納された予測係数のうち、貨幣の種別に対応する予測係数とをそれぞれ用いて、当該貨幣の種別の区分に分類されるサービス機器による総売上の予測額をそれぞれ算出する。したがって、売上予測の対象となるサービス機器が受入可能な貨幣の種別ごとに、複数のサービス機器による総売上額を簡易かつ精度良く予測することが可能な売上予測装置、売上予測方法またはプログラムが得られるという効果を奏する。
【００７９】
また、請求項４、１１または１５の発明によれば、予測係数が曜日の種別ごとに対応付けて格納され、両替機から所定の曜日内に払い出された所定の種別の貨幣の総額が両替金額として入力され、入力された両替金額と、格納された予測係数のうち、所定の曜日に対応する予測係数とを用いて、当該所定の曜日内のサービス機器による総売上の予測額を算出する。したがって、売上予測の対象となる曜日の種別ごとに、複数のサービス機器による総売上額を簡易かつ精度良く予測することが可能な売上予測装置、売上予測方法またはプログラムが得られるという効果を奏する。
【００８０】
また、請求項５、１２または１５の発明によれば、複数のサービス機器による実際の総売上額が入力され、入力された前記総売上額と算出された総売上予測額とを相互に比較し、これら総売上額と総売上予測額との誤差が所定誤差以上である場合に、この総売上額と両替金額とを用いた所定の演算を行うことによって、予測係数を修正する。したがって、修正された予測係数を用いることで、複数のサービス機器による総売上額を一層精度良く予測することが可能な売上予測装置、売上予測方法またはプログラムが得られるという効果を奏する。
【００８１】
また、請求項６、１３または１５の発明によれば、複数のサービス機器による実際の総売上額に対して、各サービス機器による個別の売上額として配分される割合を示す機器別配分率が、各サービス機器ごとに格納され、算出された予測額と、格納された機器別配分率とを用いて、各サービス機器ごとに売上の予測額を算出する。したがって、複数のサービス機器による実際の売上総額を、所定の機器別配分率で各サービス機器に配分することによって、各サービス機器ごとの売上額を把握するような店舗においても、各サービス機器ごとに売上を予測することが可能な売上予測装置、売上予測方法またはプログラムが得られるという効果を奏する。
【００８２】
また、請求項７、１４または１５の発明によれば、複数のサービス機器による実際の総売上額に対して、複数の関係者にそれぞれ配分される売上額の割合を示す関係者別配分率が、各関係者ごとに格納され、算出された予測額と、格納された関係者別配分率とを用いて、各関係者ごとに売上の予測額を算出する。したがって、サービス機器よる実際の売上額を、所定の関係者別配分率で複数の関係者（例えば、サービス機器の貸出主および店舗主）の間で分配するという契約が結ばれたサービス機器があった場合でも、各関係者ごとに売上を予測することが可能な売上予測装置、売上予測方法またはプログラムが得られるという効果を奏する。
【図面の簡単な説明】
【図１】
本実施の形態に係る売上予測装置の適用環境を説明するための図である。
【図２】
本実施の形態に係る売上予測装置の主たる特徴を説明するための図である。
【図３】
本実施の形態に係る売上予測装置の構成を示すブロック図である。
【図４】
図３に示した予測係数ＤＢに記憶される情報の構成例を示す図である。
【図５】
図３に示した機器別関係者別配分率ＤＢに記憶される情報の構成例を示す図である。
【図６】
図３に示した売上予測履歴ＤＢに記憶される情報の構成例を示す図である。
【図７】
図３に示した実売上額履歴ＤＢに記憶される情報の構成例を示す図である。
【図８】
本実施の形態に係る売上予測装置による売上予測処理の手順を示すフローチャートである。
【図９】
図３に示した出力部に表示される画面の一例を示す図である。
【図１０】
図３に示した出力部に表示される画面の一例を示す図である。
【図１１】
図３に示した予測係数修正部による処理を説明するための図である。
【符号の説明】
１０  売上予測装置
１１  入力部
１２  出力部
１３  入出力制御ＩＦ部
１４  記憶部
１４ａ  予測係数ＤＢ
１４ｂ  機器別関係者別配分率ＤＢ
１４ｃ  売上予測履歴ＤＢ
１４ｄ  実売上額履歴ＤＢ
１５  制御部
１５ａ  総売上予測額算出部
１５ｂ  機器別売上予測額算出部
１５ｃ  関係者別売上予測額算出部
１５ｄ  実売上額入力処理部
１５ｅ  予測係数修正部
２０  両替機
３０  ＡＭ機器